(57)【要約】この発明は、通信システムに専用のチャネルを介して送信される多数のパイロットについての改善されたチャネル評価能力をもつ通信システムに基づいたＣＤＭＡを提供する。この発明の１つの実施形態において、通信システムに基づくＣＤＭＡは、受信されたパイロットを互いに比較して最大の電力レベルを有するパイロットを選択する。チャネルの評価は、関連するチャネルパラメータを導くために最大の電力レベルをもつパイロットに基づいて実行される。このシステム宛ての情報は、ユーザデータを回復するために、関連するチャネルパラメータに基づいて、その後、復調される。この発明の他の実施形態において、通信システムに基づくＣＤＭＡは、まず、それぞれのチャネルに関連するチャネルパラメータを導くために、このシステムにより受信されたパイロットのそれぞれを介して、専用のチャネルのそれぞれに関するチャネルの評価を実行する。その後、全てのチャネルパラメータは、最終的なチャネルパラメータを導くために結合される。このシステム宛ての情報は、ユーザデータを回復するため、最終的なチャネルパラメータに基づいて復調される。このようにして、より精密なチャネルパラメータが得られる。
2006525733.tif 000002
【特許請求の範囲】
【請求項１】
複数の専用チャネルを介してこのシステムに宛てられた情報を受信する受信部を有し、前記情報は少なくとも２つのチャネルからの多数のパイロットを含む、通信システムに基づくＣＤＭＡでの使用のための回路であって、
前記複数の専用チャネルからの前記多数のパイロットの電力を互いに比較して、最大の電力レベルであるパイロットを出力する比較器、および
関連するチャネルパラメータを導くために、前記最大の電力レベルである前記パイロットに基づいてチャネル評価を行なうように形成されたチャネル評価回路
を備える回路。
【請求項２】
複数の専用チャネルを介してこのシステムに宛てられた情報を受信する受信部を有し、前記情報を少なくとも２つのチャネルからの多数のパイロットを含む、通信システムに基づくＣＤＭＡでの使用のための回路であって、
パイロットが前記システムにより受信される前記専用チャネルのそれぞれを介して、各チャネルに関連するチャネルパラメータを導くために、前記専用チャネルのそれぞれにおけるチャネル評価を行なうように形成されたチャネル評価回路、および
最終的なチャネルパラメータを導くために、前記チャネルパラメータのすべてを結合するように形成された結合回路
を備える回路。
【請求項３】
ユーザデータを回復するために前記システムに宛てられた情報を復調する復調器を更に備える請求項１または２に記載の回路。
【請求項４】
前記パラメータの電力の大きさの数値を演算して演算結果を求め、この演算結果を所定のしきい値と比較して制御信号を生成するように形成された検出回路、および
前記パラメータの前記電力の大きさを互いに比較すると共に、前記演算結果が前記しきい値よりも大きくないことを前記制御信号が示す場合に前記比較を行なう比較器、
を更に備え、
前記結合回路は、前記演算結果が前記しきい値よりも大きいことを前記制御信号が示す場合に、前記チャネルパラメータの全てを結合する、請求項２に記載の回路。
【請求項５】
前記検出回路は、前記パラメータの可能な全ての結合の各ペアの間の電力差を計算すると共に前記演算結果としての最大電力差を選択することにより、前記電力の大きさの数値を演算する、請求項４に記載の回路。
【請求項６】
ユーザデータを回復するために、前記比較器および前記結合回路の何れか１つからの出力に基づいて、前記システムに宛てられた情報を復調する復調器を更に備える請求項４または５に記載の回路。
【請求項７】
複数の専用チャネルを介してその通信システム宛てに送られる情報であって前記チャネルの少なくとも２つからの多数のパイロットを含む情報を受信する受信部、
前記多数のパイロットの電力を互いに比較して最大の電力レベルのパイロットを出力する比較器、
関連するチャネルパラメータを導くために前記最大の電力レベルである前記パイロットに基づいてチャネルの評価を行なうように形成されたチャネル評価回路、および
ユーザデータを回復するために、前記関連するチャネルパラメータに基づいて、前記システム宛ての前記情報を復調する復調器
を備える、通信システムに基づくＣＤＭＡ。
【請求項８】
複数の専用チャネルを介してその通信システム宛てに送られる情報であって前記チャネルの少なくとも２つからの多数のパイロットを含む情報を受信するように形成された受信部、
パイロットが前記システムにより受信される前記専用チャネルのそれぞれを介して、各チャネルに関連するチャネルパラメータを導くために、前記専用チャネルのそれぞれにおけるチャネル評価を行なうように形成されたチャネル評価回路、
出力用の最終的なチャネルパラメータを導くために、前記チャネルパラメータのすべてを結合するように形成された結合回路、および
ユーザデータを回復するために、前記結合回路の少なくとも１つの出力に基づいて、前記システム宛ての前記情報を復調するように形成された復調器
を備える、ＣＤＭＡに基づく通信システム。
【請求項９】
前記結合回路は、これらのチャネルパラメータに関する算術的加算を行なうことにより
全てのチャネルパラメータを結合する、請求項８に記載のシステム。
【請求項１０】
演算結果を得るために前記パラメータの電力の大きさの数値を演算し、制御信号を生成するためにこの演算結果を所定のしきい値と比較するように形成された検出回路、および
前記パラメータの電力の大きさを互いに比較して最大の電力レベルを出力すると共に前記演算結果が前記しきい値よりも大きくない場合に比較を行なう比較器
を更に備え、
前記結合回路は、前記演算結果が前記所定のしきい値よりも大きいことを前記制御信号が示している場合に前記チャネルパラメータの全てを結合し、
前記復調器は、ユーザデータを回復するために、前記比較器および前記結合回路の何れか１つからの出力に基づいて、前記システム宛ての前記情報を復調する、請求項８または９に記載のシステム。
【請求項１１】
前記検出回路は、前記パラメータの全ての可能な結合についての前記パラメータの各ペアの間の電力差を計算して、最大の電力差を前記演算結果として選択することにより、前記電力の大きさの値を演算する、請求項１０に記載のシステム。
【請求項１２】
複数の専用チャネルを介して通信システム宛の情報を受信すると共に、少なくとも２つのチャネルからの多数のパイロットを含む前記情報を受信する受信機を有する通信システムに基づくＣＤＭＡでの使用のための方法であって、
専用チャネルからの前記複数の専用チャネルからの前記多数のパイロットの電力を互いに比較するステップ、
最大の電力レベルであるパイロットを出力するステップ、および
関連するチャネルパラメータを導くために前記最大の電力レベルである前記パイロット委基づいてチャネル評価を行なうステップ
を備える方法。
【請求項１３】
複数の専用チャネルを介して通信システムの情報を受信すると共に、前記チャネルの少なくとも２つからの多数のパイロットを含む前記信号を受信する受信機を有する通信システムに基づくＣＤＭＡで使用のための方法であって、
それぞれのチャネルに関連するパラメータを導くために、前記システムにより受信されたパイロットのそれぞれを介して、専用チャネルのそれぞれにおけるチャネル評価を実行するステップ、
それぞれのチャネルに関連するチャネルパラメータを出力するステップ、および
最終的なチャネルパラメータを導くために全てのチャネルパラメータを得るステップ
を備える方法。
【請求項１４】
ユーザデータを回復するため、前記システム宛ての情報を復調するステップを更に備える請求項１２または１３に記載の方法。
【請求項１５】
演算結果を得るため、前記パラメータの前記電力の大きさの数値を演算するステップ、
制御信号を生成するために所定のしきい値に対して前記演算結果を比較するステップ、および
前記パラメータの前記電力の大きさを互いに比較して、前記演算結果が前記しきい値よりも大きくないことを前記制御信号が示している場合に最大の電力の大きさを出力するステップ
を更に備える、請求項１３に記載の方法。
【請求項１６】
前記演算ステップは、前記パラメータの全ての可能な結合に関する各ペアのパラメータの間の電力差を計算して、最大の電力差を前記演算結果として選択することにより、実行される。請求項１５に記載の方法。
【請求項１７】
ユーザデータを回復するため、前記最大の電力差および前記最終的なチャネルパラメータの１つからの出力に基づいて前記システム宛ての前記情報を復調するステップを更に備える請求項１５または１６に記載の方法。
【発明の詳細な説明】
【技術分野】
【０００１】
この発明は一般的には無線通信システムに関し、より詳細には、専用のチャネルを介して送信された多数のパイロットについての、改善されたチャネル評価能力をもつ符号分割多重アクセス（ＣＤＭＡ―Code Division Multiple Access―）通信システムに関する。
【背景技術】
【０００２】
無線網に基づくＣＤＭＡにおいては、基地局により送信される情報から、音声および制御のような有益なユーザデータを復調補助するためのチャネルを評価するために、データパイロットデータが移動端末により用いられていることはよく知られている。パイロットデータは、シグナリングを介して移動端末と基地局との両方で知られている。パイロットが送信されている間の固定の時間の間隔でフェッチされた受信信号を、本来既知のパイロットデータと比較することにより、移動端末は、パイロットといっしょの並列なチャネルを介して送信された有益な情報を導くために、複合的なベースバンドチャネル情報を評価できる。多くの場合、唯一の専用パイロットチャネルが、多数の専用チャネルに割り当てられたそれぞれの移動端末用に提供される。しかしながら、いくつかの環境、例えば移動端末のユーザが基地局から遠く離れた状況、とりわけ深刻なフェーディングやシャドウ効果が存在するときにおいて、単一のパイロットでは、有益な情報を導くために移動端末によるチャネル評価のためには適切でないかも知れない。
【０００３】
全てのユーザ用の共通チャネルにおける他のパイロットは、チャネル評価のために用いられていた。通常、例えば放送チャネル（ＢＣＨ）、前方アクセス・チャネル（ＦＡＣＨ）およびページング・チャネル（ＰＣＨ）などの有用な共通チャネルからのパイロット・シンボルの流れが存在する。この場合、ユーザ専用の単一チャネルおよび全てのユーザ用野田の共通チャネルからの最大電力をもつパイロット信号を発見するために探索がなされる。その後このパイロット信号は、チャネルの評価およびデータの復調のために用いられる。
【０００４】
しかしながら、上述のアプローチにおいては、パイロットは共通チャネル内に常に存在していない。これは、パイロットがチャネルの評価のために必要とされる場合に役立たないかもしれないので、通信における混乱の原因となるかもしれない。
【０００５】
それゆえに、専用のチャネルを介して送信される多数のパイロットに関する改善されたチャネル評価能力をもつ通信システムが必要となっている。
【発明の開示】
【発明が解決しようとする課題】
【０００６】
この発明は、多数のパイロットに関する改善されたチャネル評価能力をもつ通信システムに基づくＣＤＭＡを提供する。この発明において、付加的なパイロットは、この通信システムに専用のチャネルを介して、オリジナルのパイロットに加えて送信されている。これらの付加的なパイロットは、オリジナルのパイロットが弱い信号強度を有する場合に用いられている。
【課題を解決するための手段】
【０００７】
この発明の第１の態様によれば、通信システムに基づくＣＤＭＡが提供され、これは、受信部、比較器、チャネル評価回路および復調器を備えている。受信部は、複数の専用チャネルを介してこのシステム宛ての情報を受信する。比較器は、多数のパイロットを互いに比較して最大の電力レベルを持つパイロットを出力する。チャネル評価回路はその後、関連するチャネルパラメータを導くために最大の電力レベルをもつパイロットに基づいてチャネル評価を実行する。このようにして、チャネルパラメータはより良く評価され得ることになる。最後に、復調器がこのシステム宛ての情報を復調し、関連するチャネルパラメータに基づいて、ユーザデータを回復させる。
【０００８】
この発明の第２の態様によれば、通信システムに基づくＣＤＭＡが提供され、これは、受信部、チャネル評価回路、結合回路および復調器を備えている。受信部は、複数の専用チャネルを介してそのシステム宛ての情報を受信する。この情報は、少なくとも２つのチャネルからの多数のパイロットを含んでいる。チャネル評価回路は、それぞれのチャネルに関連するチャネルパラメータを導くために、そのパイロットがシステムにより受信されたそれぞれを介して、専用のチャネルのそれぞれにおけるチャネル評価を実行する。結合回路はその後出力するための最後のチャネルパラメータを導くために、全てのチャネルパラメータを結合する。このようにして、より精密なチャネルパラメータが得られる。最後に、復調器がこの移動端末宛ての情報を復調して、少なくとも結合回路の出力に基づいて、ユーザデータを回復させる。
【０００９】
この発明の第３の態様は、上述した第１および第２の態様を結合したものである。
【００１０】
この発明のより完全な理解に伴う他の目的およびその達成は、添付図面との結合された以下の説明および請求項を参照することにより、明らかとなり、また、高く評価されることになるであろう。
【発明を実施するための最良の形態】
【００１１】
この発明は、添付された図面に従って実施例の方法により更に詳細に説明される。
【００１２】
図面を通して、同一の参照符号は同一または相当する特徴または機能を示している。
【００１３】
図１は、例えば、ＣＤＭＡ  ＩＳ−９５，ＣＤＭＡ２０００，ＷＣＤＭＡ（特に、ＷＣＤＭＡ−ＨＳＤＰＡ（高速データパケットアクセス））などの、システムに基づくＣＤＭＡにおける、移動端末に専用のｎ並列チャネルを介して、シグナリングした後に基地局により送信される情報を示している。
【００１４】
図１に示すように、ｎ個の専用チャネルにおいて、多数パイロットが送信されるｍチャネルがある。各パイロットは、１つのチャネルの全てまたは一部分を占め、パイロットの位置は、それぞれのチャネルで異なっていても良い。残りのｌ（エル）チャネル（例えばＷＣＤＭＡにおける専用物理データチャネル（ＤＰＤＣＨ））において、パイロット以外のデータは、送信される。この発明によれば、いくつかの時間遅延の範囲内で、専用のチャネルを介して送信される少なくとも２つのパイロットを有していることが必要である。
【００１５】
図２は、この発明の第１実施形態による移動端末２０のチャネル評価およびデータ復調回路を示している。移動端末２０は、比較器２２、チャネル評価回路２６、復調器２８および他の従来の構成要素（例えば、アンテナ）を備える。簡便化のため、これらの従来の構成要素は示されない。
【００１６】
図２において、この入力データは既に、ベースバンド信号および並べ換えられた時間で処理されている。比較器２２は、全ての専用のチャネルから受信されたパイロットの電力（すなわち、信号強度）を測定し、これらを互いに比較している。その後、最大の電力をもつ単一のパイロットが、真正のパイロットとして比較器２２により選択されて、チャネル評価回路２６へと出力される。比較器２２により選択されたパイロットに基づいて、評価回路２６は、チャネル・フェーディング［fading―衰える］パラメータを評価するために従来のやり方によりチャネル評価を行なう。これらのパラメータは、従来のやり方により受信信号の復調のための復調器２８へと提供される。受信信号のスクランブルの解除および拡散の解除の後に、復調器２８は、受信信号からユーザデータを得て、これらを移動端末２０の出力装置（例えば、表示部およびスピーカ）への出力データとして提供する。
【００１７】
図３は、この発明の第２実施形態による移動端末３０のチャネル評価およびデータ復調回路を示している。移動端末３０は、チャネル評価回路３２と、結合回路３６と、復調器２８とおよびその他の構成要素とを備えている。再び簡便化のために、これらの従来の構成要素は示されていない。また、入力データは既に、ベースバンド信号および並べ換えられた時間で処理されている。
【００１８】
図３において、評価回路３２は、それぞれのチャネルから受信されたパイロットを用いながら、従来のやり方によりそれぞれのチャネルを個別に評価することによりチャネル評価を実行する。このチャネル評価は、並列または直列の何れかにより実行可能である。それぞれのチャネルで得られたチャネル・フェーディング・パラメータは、その後結合回路３６に送られる。
【００１９】
結合回路３６はその後、最終的な結果を導くためにそれらに関する算術的な加算を実行することによりそれぞれのチャネルのために受信された全てのパラメータを結合する。例えば２つのチャネルであると仮定する。チャネル１用のチャネル・フェーディング・パラメータは（Ａ１ｅｊΦ＋ｎ１）であり、チャネル２からのパラメータは（Ａ２ｅｊΦ＋ｎ２）であって、ここで、Ａ１およびＡ２は電力の振幅であり、Φは位相であり、ｎ１およびｎ２は複合ノイズである。結合回路３６は、（Ａ１＋Ａ２）ｅｊΦ＋（ｎ１＋ｎ２）の最終的な結果を導くためにパラメータを結合する。結合回路３６からの最終的な結果は、従来のやり方により、受信信号を復調するために使用される復調器２８へと提供される。受信信号を拡散解除およびスクランブル解除した後、復調器２８は受信信号からユーザデータを得て、これらを出力データとして移動端末３０の出力装置に提供する。
【００２０】
図４は、この発明の第３実施形態による移動端末４０のチャネル評価およびデータ復調回路を示している。この実施形態は、上述した第１および第２実施形態を組み合わせている。図４に示すように、移動端末４０は、チャネル評価回路３２と、パイロット電力検出回路４２と、比較器２２と、結合回路３６と、復調器２８およびその他の従来の構成要素を備えている。
【００２１】
図４において、評価回路３２は、このチャネルから受信されたパイロットを用いることにより、従来のやり方でそれぞれのチャネルを別々に評価することにより、チャネル評価を実行している。それぞれのチャネルで得られたチャネル・フェーディング・パラメータはその後、検出回路４２に送られる。検出回路４２は、最大の差分を発見するための電力の振幅の全ての可能な結合のために、それぞれのパラメータから２つの電力の振幅の差分を計算する。最大の差分が所定のしきい値（例えば、全てのパラメータからの最大の電力の振幅の２０％）よりも大きくない場合、評価回路３２より出力されるパラメータは、上述した第１実施形態におけるのと同じやり方で、それらの電力の振幅の比較のために比較器２２に提供されるであろう。そうでなければ、これらのパラメータは、上述した第２実施形態におけるのと同じやり方で結合するために結合回路３６に提供されるであろう。上述のように、検出回路４２による電力の振幅の数値を求める他の方法もまた、第１実施形態によるアプローチおよび第２実施形態によるアプローチをより効果的に用いるか否かを決定するために可能である。
【００２２】
検出回路４２により決定された検出結果に依存することにより、復調器２８は受信信号を復調するために使用される比較器２２または結合回路３６の何れかからの出力を受信するであろう。何れの場合でも、受信信号をスクランブル解除および拡散解除した後に、復調器２８は受信信号からユーザデータを得て、それらを移動端末４０の出力装置への出力データとして提供する。
【００２３】
上述したように、この発明は、移動端末に関連して示されていた。この発明は、基地局の送受信機内でもまた用いられることができる。
【００２４】
この発明は特定の実施形態に関連して説明されていたが、多くの代替例、変形例および変更例が上述した説明の考え方に従って当業者に明らかであろうことは明白である。したがって、全てのこれらの代替例、変形例および変更例は、添付された特許請求の範囲の精神と範囲の中に包含されるように意図される。
【図面の簡単な説明】
【００２５】
【図１】移動端末に専用のｎ個の並列チャネルを介して基地局により送信され得宇情報を示す説明図。
【図２】この発明の第１実施形態による移動端末のチャネル評価およびデータ復調回路を示すブロック図。
【図３】この発明の第２実施形態による移動端末のチャネル評価およびデータ復調回路を示すブロック図。
【図４】この発明の第３実施形態による移動端末のチャネル評価およびデータ復調回路を示すブロック図。
【図１】
2006525733.tif 000003
【図２】
2006525733.tif 000004
【図３】
2006525733.tif 000005
【図４】
2006525733.tif 000006
【国際調査報告】
2006525733.tif 000007
2006525733.tif 000008